(57)【要約】【課題】所定の通信プロトコルに準拠した信号を処理する機能をもたない通信端末を用いて通信を行う通信システムにおいて、システム構築コストをより低減する。【解決手段】相手端末とのセッション確立要求を行う通信端末と第１のネットワークを介して接続されるとともに、セッション制御サーバと第２のネットワークを介して接続されるエッジルータ装置１０Ａ、１０Ｂであって、通信端末から送信されるセッション確立要求を受信する端末通信手段１４と、端末通信手段１４が受信したセッション確立要求をセッションの制御信号に変換する信号変換手段１６と、信号変換手段１６が変換したセッションの制御信号をセッション制御サーバに送信するセッション制御手段１７と、第２のネットワークのポリシー１５１に基づいて、通信帯域を割当てるか否か判定する通信帯域割当判定手段１５と、を備える。【選択図】図２
2008288763.tif 000002
【特許請求の範囲】
【請求項１】
相手端末とのセッションに必要な通信帯域を確保するためのセッション確立要求を行う通信端末と第１のネットワークを介して接続されるとともに、前記通信帯域を確保するセッション制御サーバと第２のネットワークを介して接続されるエッジルータ装置であって、
前記通信端末から送信される前記セッション確立要求を受信する端末通信手段と、
前記端末通信手段が受信した前記セッション確立要求を、前記セッションの制御信号に変換する信号変換手段と、
前記信号変換手段が変換したセッションの制御信号を、前記セッション制御サーバに送信するセッション制御手段と、
前記第２のネットワークのポリシーに基づいて、前記通信帯域を割当てるか否か判定する通信帯域割当判定手段と、を備えること
を特徴とするエッジルータ装置。
【請求項２】
前記セッションの制御信号は、ＳＩＰに準拠したＳＩＰメッセージであること
を特徴とする請求項１記載のエッジルータ装置。
【請求項３】
前記ポリシーは、前記通信端末を使用するユーザ毎に対応した許容帯域の条件を含むこと
を特徴とする請求項１記載のエッジルータ装置。
【請求項４】
前記ポリシーは、前記通信端末の通信能力に対応した許容帯域の条件を含むこと
を特徴とする請求項１記載のエッジルータ装置。
【請求項５】
前記ポリシーは、複数の前記通信端末から要求された帯域の積算値にが所定値を超える場合に前記通信帯域を割当てない条件を含むこと
を特徴とする請求項１記載のエッジルータ装置。
【請求項６】
相手端末とのセッションに必要な通信帯域を確保するためのセッション確立要求を行う通信端末と第１のネットワークを介して接続されるとともに、前記通信帯域を確保するセッション制御サーバと第２のネットワークを介して接続されるエッジルータ装置が行うセッション確立方法であって、
前記エッジルータ装置は、
前記通信端末から送信される前記セッション確立要求を受信する受信ステップと、
前記受信ステップで受信した前記セッション確立要求を、前記セッションの制御信号に変換する信号変換ステップと、
前記信号変換ステップで変換したセッションの制御信号を、前記セッション制御サーバに送信する送信ステップと、
前記第２のネットワークのポリシーに基づいて、前記通信帯域を割当てるか否か判定する通信帯域割当判定ステップと、を行うこと
を特徴とするセッション確立方法。
【発明の詳細な説明】
【技術分野】
【０００１】
本発明は、複数のネットワークを介して送受信される信号を制御するエッジルータ装置およびセッション確立方法に関する。
【背景技術】
【０００２】
ＳＩＰ（Session Initiation Protocol）を用いたシステムとしては、例えば特許文献１に記載されたものがある。特許文献１では、ユーザの端末装置が、コンテンツ配信サーバに蓄積されている映像音声のデータを要求する際に、ＳＩＰサーバを介してコンテンツ配信サーバとのセッションの確立を要求する。コンテンツ配信サーバは、映像音声の視聴に必要な帯域の情報をＳＩＰサーバに通知し、ＳＩＰサーバは、コンテンツ配信サーバから通知された帯域の情報に従って帯域制御サーバに帯域予約の要求を行い、帯域予約の結果を端末装置に通知する。
【特許文献１】特開２００５−０１２６５５号公報
【発明の開示】
【発明が解決しようとする課題】
【０００３】
特許文献１に記載のシステムでは、ユーザの端末装置が、ＳＩＰを処理するＳＩＰプロトコル機能部を備える。
【０００４】
また、ＳＩＰプロトコル機能部を有しない端末装置の場合、ユーザの宅内に設置されたゲートウェイがＳＩＰを処理する機能を備え、ゲートウェイがＳＩＰサーバに対してセッションの確立要求を送信し、端末装置に代わってセッションの確立を行う。
【０００５】
特許文献１では、ユーザの端末装置がＳＩＰを処理するＳＩＰプロトコル機能部を備えることが必要であり、ＳＩＰプロトコル機能部を有しない端末装置の場合にはセッションを確立することができない。
【０００６】
また、ＳＩＰを処理する機能を備えたゲートウェイを用いる場合、当該ゲートウェイを各ユーザの宅内にそれぞれ設置する必要があるため、コストが発生する。
【０００７】
本発明は上記事情に鑑みてなされたものであり、本発明の目的は、所定の通信プロトコルに準拠した信号を処理する機能をもたない通信端末を用いて通信を行う通信システムにおいて、システム構築コストをより低減するエッジルータ装置およびセッション確立方法を提供することにある。
【課題を解決するための手段】
【０００８】
本発明は、相手端末とのセッションに必要な通信帯域を確保するためのセッション確立要求を行う通信端末と第１のネットワークを介して接続されるとともに、前記通信帯域を確保するセッション制御サーバと第２のネットワークを介して接続されるエッジルータ装置であって、前記通信端末から送信される前記セッション確立要求を受信する端末通信手段と、前記端末通信手段が受信した前記セッション確立要求を、前記セッションの制御信号に変換する信号変換手段と、前記信号変換手段が変換したセッションの制御信号を、前記セッション制御サーバに送信するセッション制御手段と、前記第２のネットワークのポリシーに基づいて、前記通信帯域を割当てるか否か判定する通信帯域割当判定手段と、を備える。
【０００９】
また、本発明は、相手端末とのセッションに必要な通信帯域を確保するためのセッション確立要求を行う通信端末と第１のネットワークを介して接続されるとともに、前記通信帯域を確保するセッション制御サーバと第２のネットワークを介して接続されるエッジルータ装置が行うセッション確立方法であって、前記エッジルータ装置は、前記通信端末から送信される前記セッション確立要求を受信する受信ステップと、前記受信ステップで受信した前記セッション確立要求を、前記セッションの制御信号に変換する信号変換ステップと、前記信号変換ステップで変換したセッションの制御信号を、前記セッション制御サーバに送信する送信ステップと、前記第２のネットワークのポリシーに基づいて、前記通信帯域を割当てるか否か判定する通信帯域割当判定ステップと、を行う。
【発明の効果】
【００１０】
本発明によれば、所定の通信プロトコルに準拠した信号を処理する機能をもたない通信端末を用いて通信を行う通信システムにおいて、システム構築コストをより低減することができる。
【発明を実施するための最良の形態】
【００１１】
以下、本発明の実施の形態について、図面を参照して説明する。
【００１２】
図１は、本発明の実施の形態に係る通信システムのシステム構成図である。
【００１３】
図示するように、ユーザＡの宅内のＬＡＮ（第１のネットワーク）には、通信端末として、映像および／または音声（以下、「映像音声」）のデータを蓄積可能なＡＶ（Audio Visual）機器４Ａ、パソコン（Personal Computer）５Ａ、およびホームゲートウェイ（以下、「ＨＧＷ」）３Ａが接続されている。また、ユーザＢの宅内のＬＡＮ（第１のネットワーク）にも、通信端末として、ＡＶ機器４Ｂ、パソコン５Ｂ、およびＨＧＷ３Ｂが接続されている。ＡＶ機器４Ａ、４Ｂは、例えば、デジタルテレビ受信機やハードディスクレコーダーなどの映像音声を提供するものであり、映像音声のデータを蓄積することができるものとする。
【００１４】
なお、ＡＶ機器４Ａ、４Ｂ、パソコン５Ａ、４Ｂなどの通信端末は、各々がデータを送受信することができるものとする。また、通信端末は、情報家電機器などであってもよい。
【００１５】
ＨＧＷ３Ａ、３Ｂは、ＩＳＰ（Internet Service Provider）などのプロバイダーが提供するようなネットワーク８（第２のネットワーク）と宅内のＬＡＮとを接続し、宅内のＬＡＮに接続された通信端末間同士での通信を可能とするとともに、宅内のＬＡＮに接続された通信端末とネットワーク８上のＳＩＰサーバ９などの通信装置との通信を可能とする。なお、ＨＧＷ３は、安価なブロードバンドルータ（ＢＢルータ）などであってもよい。
【００１６】
また、プロバイダーが提供するネットワーク８には、エッジルータ装置１０Ａ、エッジルータ装置１０Ｂ、および、セッションに必要な通信帯域を確保するＳＩＰサーバ９が接続されている。
【００１７】
ＳＩＰサーバ９（セッション制御サーバ）は、ＳＩＰ（Session Initiation Protocol）に準拠した呼制御を行うサーバであり、通信端末間のリアルタイム通信などを制御する。なお、本実施形態では、通信プロトコルとしてＳＩＰを用いるものとするが、これに限定されず、他の通信プロトコルを用いてもよい。
【００１８】
エッジルータ装置１０Ａ、１０Ｂは、プロバイダーが提供するネットワーク８と、ユーザが構築するＬＡＮやユーザの通信機器とを接続するものであり、転送されたパケットを中継するルータである。
【００１９】
なお、エッジルータ装置１０Ａは、ＨＧＷ３Ａと通信可能であり、エッジルータ装置１０Ｂは、ＨＧＷ３Ｂと通信可能である。なお、エッジルータ装置１０Ａは、ユーザＡ宅に設置された１台のＨＧＷ３Ａだけでなく複数の機器と通信可能である。例えば、図示しない複数のユーザ宅内に設置されたそれぞれのＨＧＷと通信可能である。エッジルータ装置１０Ｂについても同様に、ユーザＢ宅に設置された１台のＨＧＷ３Ｂだけでなく複数の機器と通信可能である。
【００２０】
図１に示す通信システムにおいては、通信帯域がネットワーク８内で保証されるようになっており、エッジルータ装置１０Ａ、１０Ｂとユーザ宅内（例えば、ＨＧＷ３Ａ、３Ｂ）と間のアクセス回線毎に十分な帯域が割当てられている。さらに、ユーザ宅内からエッジルータ装置１０Ａ、１０Ｂへの上り方向、およびエッジルータ装置１０Ａ、１０Ｂからユーザ宅内への下りの方向におけるアクセス回線では、輻輳が発生しない通信帯域が保証されているものとする。
【００２１】
また、ＨＧＷ３Ａ、ＡＶ機器４Ａ、およびパソコン５Ａは、ＳＩＰを処理する機能を有していない。そのため、エッジルータ装置１０ＡがＳＩＰを処理する機能を備え、ＳＩＰの処理を代理する。ＨＧＷ３Ｂ、ＡＶ機器４Ｂ、およびパソコン５Ｂについても、ＳＩＰを処理する機能を有していないため、エッジルータ装置１０ＢがＳＩＰを処理する機能を代理する。
【００２２】
次に、本実施形態のエッジルータ装置について説明する。
【００２３】
図２は、エッジルータ装置１０Ａ、１０Ｂのブロック図である。エッジルータ装置１０Ａ、１０Ｂは、図示しないＣＰＵ、ＲＯＭやＲＡＭを有し、ネットワーク８側のネットワークインタフェース１１、ＨＧＷ側のネットワークインタフェース１２、パケット中継部１３、端末通信部１４、通信帯域割当判定部１５、信号変換部１６、セッション制御部１７とを有する。
【００２４】
なお、エッジルータ装置１０は、例えばＣＰＵが実行するプログラムのモジュール、集積回路、または、集積回路の組合せなどから構成されるものとする。
【００２５】
ネットワークインタフェース（以下、「ＮＷＩＦ」）１１は、ネットワーク８と通信するものであり、ＮＷＩＦ１２は、ＨＧＷ３Ａ、３Ｂが構築するＬＡＮ等と通信するものである。
【００２６】
パケット中継部１３は、パケットの宛先アドレスと次の転送先とを対応させたルーティングテーブル（不図示）を有し、ＮＷＩＦ１１またはＮＷＩＦ１２が受信したパケットをルーティングテーブルに従って次の転送先に中継する。
【００２７】
また、パケット中継部１３は、パケットの宛先アドレスが自己宛の場合に当該パケットを処理するため、ＮＷＩＦ１２を介して受信したパケットであれば端末通信部１４に出力し、ＮＷＩＦ１１を介して受信したパケットであればセッション制御部１７に出力する。
【００２８】
端末通信部１４は、ＮＷＩＦ１２およびパケット中継部１３を介して通信端末から送信されるパケットを受信する。そして、端末通信部１４は、受信したパケットが、ＳＩＰに準拠したメッセージ（以下、「ＳＩＰメッセージ」）に変換する必要のあるメッセージであれば、当該メッセージを信号変換部１６に出力する。例えば、端末通信部１４は、受信したパケットが相手端末とのセッションに必要な通信帯域を確保するためのセッション確立要求のメッセージ（以下、「セッション確立要求」）の場合、当該メッセージを信号変換部１６に出力する。
【００２９】
通信帯域割当判定部１５は、ポリシー記憶部１５１に登録されたネットワークポリシーに従って、通信帯域を割当てるか否か判定する。ネットワークポリシーは、ネットワーク８の運用に関わる制約や指針などである。ネットワーク管理者は、あらかじめネットワークポリシーを、ポリシー記憶部１５１に登録しておくものとする。
【００３０】
例えばＳＩＰサーバ９から通信帯域を割当てるための要求があった場合、通信帯域割当判定部１５は、通信帯域を割当てるか否かをネットワークポリシーに従って判定する。また、通信帯域割当判定部１５は、端末通信部１４が受信したセッション確立要求が示す通信帯域を割当てるか否かをネットワークポリシーに従って判定してもよい。
【００３１】
なお、ネットワークポリシーは、例えば、ユーザ毎に許容帯域が設定された条件Ａであったり、通信端末の通信能力に応じて許容帯域が設定された条件Ｂとすることが考えられる。また、ネットワークポリシーは、複数の通信端末から要求された帯域の積算値が所定値を超える場合に通信帯域を割当てない条件を表す条件Ｃとすることが考えられる。
【００３２】
例えば、通信帯域割当判定部１５は、条件Ｃに従う場合、通信帯域を積算した積算値がネットワーク８の許容量などの所定値を超える場合、新たなセッション確立要求の通信帯域を割当てない。また、条件Ａに従う場合、通信帯域割当判定部１５は、セッション確立要求などに含まれるユーザＩＤの通信帯域を積算した積算値が、ネットワークポリシーに設定された当該ユーザＩＤの許容帯域を超える場合、通信帯域を割当てない。また、条件Ｂに従う場合、通信帯域割当判定部１５は、通信帯域が、セッション確立要求などに含まれる情報から特定される通信端末の通信能力に対応した許容帯域を超える場合、通信帯域を割当てない。なお、ネットワークポリシーは、これらの条件Ａ、Ｂ、Ｃを組み合わせたものとしてもよい。
【００３３】
信号変換部１６は、端末通信部１４が受信したメッセージをセッションの制御信号、例えばＳＩＰメッセージに変換する。また、信号変換部１６は、ＮＷＩＦ１１を介して受信されたＳＩＰメッセージを、通信端末が処理可能なメッセージに変換し、変換したメッセージをＮＷＩＦ１２を介して送信する。
【００３４】
セッション制御部１７は、通信端末を代理してセッションを確立させる。例えば、セッション制御部１７は、信号変換部１６によって変換されたＳＩＰメッセージをＳＩＰサーバ９に送信し、ＳＩＰサーバ９から送信されたＳＩＰメッセージを受信して処理することで通信端末間のセッションを確立させる。
【００３５】
以上説明した本実施形態の通信システムの動作の一例について説明する。
【００３６】
図３は、本実施形態の通信システムの動作を示すシーケンス図である。
【００３７】
なお、図示するシーケンス図は、ユーザＡのパソコン５ＡでユーザＢのＡＶ機器４Ｂに蓄積された所定の映像音声（例えば、映画など）が指定され、指定された映像音声をユーザＡがパソコン５Ａで視聴する場合の動作を表したものである。エッジルータ装置１０Ａおよびエッジルータ装置１０Ｂが、パソコン５ＡとＡＶ機器４Ｂとのセッションを確立させる。また、ＡＶ機器４Ｂに蓄積されている映像音声のデータは、品質や圧縮の度合いに応じた通信速度が予め決まっているものとする。
【００３８】
まず、ＡＶ機器４Ｂは、パソコン５Ａとのセッションを確立させるためのセッション確立要求をエッジルータ装置１０Ｂに送信する。なお、指定された映像信号を視聴する際に必要な通信速度を確保するための通信帯域が、セッション確立要求に含まれるものとする。また、セッション確立要求には、前述したネットワークポリシーの条件Ａおよび条件Ｂの判定を行うために、ユーザＩＤおよび通信端末（図示する例では、ＡＶ機器４Ｂおよびパソコン５Ａ）の通信能力を示す情報が含まれることとしてもよい。
【００３９】
エッジルータ装置１０Ｂの端末通信部１４は、ＡＶ機器４Ｂからセッション確立要求を受信し、当該セッション確立要求を信号変換部１６に出力する。信号変換部１６は、セッション確立要求をＳＩＰメッセージのＩＮＶＩＴＥに変換し、セッション制御部１７に出力する（Ｓ１）。このとき、信号変換部１６は、ＩＮＶＩＴＥのＳＤＰ（Session Description Protocol）の記述部分に、セッション確立要求に含まれる通信帯域を表す情報を記述しておく。
【００４０】
エッジルータ装置１０Ｂのセッション制御部１７は、変換されたＩＮＶＩＴＥをＳＩＰサーバ９に送信する（Ｓ２）。ＳＩＰサーバ９は、送信されたＩＮＶＩＴＥの内容から、通信帯域を確保するため、エッジルータ装置１０Ａ、１０Ｂに対し通信帯域を割当てるための帯域要求を送信する。なお、ＳＩＰサーバ９は、必要であれば、対象となるセッションの経路にあるルータに対し通信帯域を割当てるための帯域要求を行ってもよい。
【００４１】
ＳＩＰサーバ９から帯域要求を受信したエッジルータ装置１０Ｂの通信帯域割当判定部１５は、ポリシー記憶部１５１に設定されたネットワークポリシーに従って通信帯域を割当てるか否か判定する（Ｓ３）。また、ＳＩＰサーバ９から帯域要求を受信したエッジルータ装置１０Ａの通信帯域割当判定部１５は、同様に、ポリシー記憶部１５１に設定されたネットワークポリシーに従って通信帯域を割当てるか否か判定する（Ｓ４）。
【００４２】
エッジルータ装置１０Ｂおよびエッジルータ装置１０Ａが、ともに通信帯域を割当てる判定をした場合、各エッジルータ装置１０Ａ、１０Ｂは、確立されたセッションに対するパケットの優先制御するなど、割当てた通信帯域を保証する。なお、いずれかのエッジルータ装置１０Ａ、１０Ｂの通信帯域割当判定部１５が、通信帯域を割当てない判定をした場合、セッションを確立させるための手続きが無効となる。
【００４３】
通信帯域がエッジルータ装置１０Ａおよびエッジルータ装置１０Ｂに確保された場合、引き続き、ＳＩＰサーバ９は、ＩＮＶＩＴＥをエッジルータ装置１０Ａに送信する。
【００４４】
エッジルータ装置１０Ａのセッション制御部１７は、ＳＩＰサーバ９から送信されたＩＮＶＩＴＥを受信し、信号変換部１６に出力する。信号変換部１６は、ＩＮＶＩＴＥをセッション確立要求に変換して、端末通信部１４に出力する（Ｓ５）。端末通信部１４は、変換されたセッション確立要求を、パソコン５Ａに送信する（Ｓ６）。
【００４５】
セッション確立要求に応答する成功のメッセージがパソコン５Ａから送信された場合、エッジルータ装置１０Ａの端末通信部１４は、成功のメッセージを受信し、信号変換部１６は、受信した成功のメッセージをＳＩＰメッセージである「２００  ＯＫ」に変換する（Ｓ７）。
【００４６】
続いて、エッジルータ装置１０Ａのセッション制御部１７は、変換された「２００  ＯＫ」をＳＩＰサーバ９に送信する（Ｓ８）。送信された「２００  ＯＫ」は、ＳＩＰサーバ９によって中継され、エッジルータ装置１０Ｂに受信される。
【００４７】
エッジルータ装置１０Ｂのセッション制御部１７は、送信された「２００  ＯＫ」を受信し、信号変換部１６は、受信された「２００  ＯＫ」を成功のメッセージに変換する（Ｓ９）。続いて、エッジルータ装置１０Ｂの端末通信部１４は、変換された成功のメッセージをＡＶ機器４Ｂに送信する（Ｓ１０）。以降のＳＩＰメッセージであるＡＣＫなどの送受信処理については、従来のＳＩＰに準拠した手続きと同じであるため、ここでは説明を省略する。
【００４８】
次に、図４のシーケンス図について説明する。
【００４９】
図４は、図３に示したシーケンス図の変形例を表したものであって、通信帯域の割当に関する処理をより効率的にしたものである。なお、図３で説明したときと同様に、ＡＶ機器４Ｂに蓄積されている映像音声のデータは、品質や圧縮の度合いに応じた通信速度が予め決まっているものとする。
【００５０】
まず、ＡＶ機器４Ｂは、パソコン５Ａとのセッションを確立させるためのセッション確立要求をエッジルータ装置１０Ｂに送信する。なお、指定された映像音声を視聴する際に必要な通信速度を確保するための通信帯域がセッション確立要求に含まれるものとする。
【００５１】
エッジルータ装置１０Ｂの端末通信部１４は、セッション確立要求を受信し、受信したセッション確立要求を通信帯域割当判定部１５に出力する。通信帯域割当判定部１５は、セッション確立要求に含まれる通信帯域を、ポリシー記憶部１５１のネットワークポリシーに従って割当てるか否か判定する（Ｓ１１）。
【００５２】
通信帯域を割当てる判定をした場合、エッジルータ装置１０Ｂは、当該通信帯域を保証する。そして、信号変換部１６は、通信帯域割当判定部１５が割当てた通信帯域を満たすよう、ＳＩＰメッセージのＩＮＶＩＴＥに変換する（Ｓ１２）。例えば、信号変換部１６は、ＩＮＶＩＴＥのＳＤＰの記述部分に、割当てた通信帯域を表す情報を記述しておく。なお、通信帯域を割当てない判定をした場合、セッションを確立させるための手続きが無効となる。
【００５３】
エッジルータ装置１０Ｂのセッション制御部１７は、変換されたＩＮＶＩＴＥをＳＩＰサーバ９に送信する（Ｓ１３）。ＳＩＰサーバ９は、ＩＮＶＩＴＥをエッジルータ装置１０Ａに送信する。なお、ＳＩＰサーバ９は、送信されたＩＮＶＩＴＥに応じて、必要であれば、対象となるセッションの経路にあるルータに対し通信帯域を割当てるための帯域要求を行ってもよい。
【００５４】
エッジルータ装置１０Ａのセッション制御部１７は、ＳＩＰサーバ９から送信されたＩＮＶＩＴＥを受信し、通信帯域割当判定部１５は、受信したＩＮＶＩＴＥに記述された通信帯域を、ポリシー記憶部１５１のネットワークポリシーに従って割当てるか否か判定する（Ｓ１４）。
【００５５】
通信帯域を割当てる判定をした場合、割当てた通信帯域が保証され、信号変換部１６は、ＩＮＶＩＴＥをセッション確立要求に変換する（Ｓ１５）。そして、端末通信部１４は、変換したセッション確立要求をパソコン５Ａに送信する（Ｓ１６）。なお、通信帯域を割当てない判定をした場合、セッションを確立させるための手続きが無効となる。
【００５６】
セッション確立要求に応答する成功のメッセージがパソコン５Ａから送信された場合、エッジルータ装置１０Ａの端末通信部１４は、成功のメッセージを受信し、信号変換部１６は、受信した成功のメッセージをＳＩＰメッセージである「２００  ＯＫ」に変換する（Ｓ１７）。
【００５７】
続いて、エッジルータ装置１０Ａのセッション制御部１７は、変換された「２００  ＯＫ」をＳＩＰサーバ９に送信する（Ｓ１８）。送信された「２００  ＯＫ」は、ＳＩＰサーバ９によって中継され、エッジルータ装置１０Ｂに受信される。
【００５８】
ここで、エッジルータ装置１０Ｂのセッション制御部１７は、送信された「２００  ＯＫ」を受信し、信号変換部１６は、受信された「２００  ＯＫ」を成功のメッセージに変換する（Ｓ１９）。続いて、エッジルータ装置１０Ｂの端末通信部１４は、変換された成功のメッセージをＡＶ機器４Ｂに送信する（Ｓ２０）。以降のＳＩＰメッセージであるＡＣＫなどの送受信処理については、従来のＳＩＰに準拠した手続きと同じであるため、ここでは説明を省略する。
【００５９】
以上説明したように、本実施形態の通信システムでは、エッジルータ装置が、ＳＩＰなどの所定の通信プロトコルに準拠した信号（ＳＩＰメッセージなど）の相互変換を行う。すなわち、各ユーザの宅内に設置されたＨＧＷ３Ａ、３Ｂ各々が所定の通信プロトコルに準拠した信号を処理する機能を備える必要がない。このため、本実施形態では、所定の通信プロトコルに準拠した信号を処理する機能をもたない通信端末（ＨＧＷ、ＡＶ機器、パソコン等）を用いて帯域が保証された通信を行う通信システムのシステム構築コストおよびシステム導入コストを削減することができる。また、ＳＩＰ非対応のＢＢルータや情報家電機器などを用いても本通信システムにおけるＳＩＰアダプテーションの機能を実施することができる。
【００６０】
また、本実施形態の通信システムは、上り方向および下りの方向におけるアクセス回線において輻輳が発生せず通信帯域が保証されているとしたが、下りの方向におけるアクセス回線に対しＨＧＷ３Ａ、３Ｂが流量規制できず輻輳が発生する場合であっても、エッジルータ装置１０Ａ、１０Ｂが下りのパケットの優先制御するため、セッションの通信帯域を保証することができる。
【００６１】
また、本実施形態のエッジルータ装置では、ネットワークポリシーに基づいて通信帯域を割り当てるか否かを判別する。これにより、例えば、ネットワークポリシーに、通信端末毎に対応した許容帯域の条件Ｂを用いた場合、受け付ける許容帯域を通信端末の通信能力に対応した許容帯域を設定することができる。すなわち、受け付ける許容帯域を通信端末の通信能力に合わせることができる。
【００６２】
また、ネットワークポリシーに、複数の通信端末から要求された帯域の積算値が所定値を超える場合に通信帯域を割当てない条件Ｃを用いた場合、通信帯域を積算した積算値が所定値を超える場合には新たなセッション確立要求の通信帯域を割当てない。これにより、所定値をエッジルータ装置の最大帯域とした場合、エッジルータ装置の最大帯域を越えて通信帯域を受け付けることなく、また、所定値をネットワーク８の運用制限による帯域（許容値）とした場合、運用制限内で通信させることができる。
【００６３】
また、ネットワークポリシーに、ユーザ毎に許容帯域を設定する条件Ａを用いた場合、所定のユーザがネットワークを占用してしまうことを防止することができる。
【００６４】
なお、本発明は上記実施形態に限定されるものではなく、その要旨の範囲内で数々の変形が可能である。例えば、上記実施形態では、パソコン５ＡとＡＶ機器４Ｂとのセッションを通じて映像音声のデータ通信を例にとって説明した。しかしながら、本発明は映像音声のデータ通信に限定されるものでなく、例えば通信端末がＩＰ電話機の場合、ＩＰ電話機間の音声のデータ通信などであってもよく、通信端末間の通信形態を限定するものではない。
【図面の簡単な説明】
【００６５】
【図１】本発明の実施の形態に係る通信システムのシステム構成図である。
【図２】本発明の実施の形態のエッジルータの構成を示すブロック図である。
【図３】通信システムの動作を示すシーケンス図である。
【図４】通信システムの動作を示す変形例のシーケンス図である。
【符号の説明】
【００６６】
３Ａ，３Ｂ  ホームゲートウェイ
４Ａ，４Ｂ  ＡＶ機器
５Ａ，５Ｂ  パソコン
８  ネットワーク
９  ＳＩＰサーバ
１０Ａ，１０Ｂ  エッジルータ
１１,１２  ネットワークインタフェース
１３  パケット中継部
１４  端末通信部
１５  通信帯域割当部
１６  信号変換部
１７  セッション制御部
【図１】
2008288763.tif 000003
【図２】
2008288763.tif 000004
【図３】
2008288763.tif 000005
【図４】
2008288763.tif 000006